(57)【要約】【課題】送出スタンバイ時に確実且つ簡単に確認可能な放送素材送出システム、送出スタンバイ方法および送出監視装置を提供する。【解決手段】映像・音声送出装置１０１と、映像・音声送出装置を制御して放送素材を映像・音声送出装置に収録し且つ収録した放送素材を送出スタンバイを経て送出する制御装置１０２，１０３，１０４と、送出監視装置１０５を有し、制御装置は前記放送素材の収録時に放送素材の先頭映像を静止画像として取り込み収納し且つ送出スタンバイのときに映像・音声送出装置を制御して送出スタンバイ映像を形成し、送出監視装置は静止画像および送出スタンバイ映像を取り込んで画面に表示することを特徴とする。【選択図】  図１
2004274568.tif 000002
【特許請求の範囲】
【請求項１】
映像・音声送出装置と、該映像・音声送出装置を制御して放送素材を該映像・音声送出装置に収録し且つ収録した前記放送素材を送出スタンバイを経て送出する制御装置と、送出監視装置を有し、前記制御装置は前記放送素材の収録時に前記放送素材の先頭映像を静止画像として取り込み収納し且つ前記送出スタンバイのときに前記映像・音声送出装置を制御して送出スタンバイ映像を形成し、前記送出監視装置は前記静止画像および前記送出スタンバイ映像を取り込んで画面に表示することを特徴とする放送素材送出システム。
【請求項２】
放送素材の収録時に前記放送素材の先頭映像を静止画像として取り込み収納し、送出スタンバイのときに、収納した前記静止画像および前記放送素材の送出スタンバイ映像を取り込んで画面に表示することを特徴とする放送素材送出方法。
【請求項３】
送出スタンバイのときに、放送素材の先頭映像を示す静止画像および前記放送素材の送出スタンバイ映像を取り込んで画面に表示することを特徴とする送出監視装置。
【請求項４】
請求項１，２または３記載において、前記放送素材の送出スタンバイ映像を放送素材の送出スタンバイ画像にして前記静止画像と比較し、画像が異なる場合に前記画面にアラームを表示することを特徴とする放送素材送出システム、放送素材送出方法または送出監視装置。
【発明の詳細な説明】
【０００１】
【発明の属する技術分野】
本発明は、番組やＣＭ（コマーシャル）などの放送素材を収録し且つ送出する放送素材送出システム、送出スタンバイ方法および送出監視装置に関するものである。
【０００２】
【従来の技術】
この種の放送素材送出システムにおいては、ビデオサーバで代表される映像・音声送出装置を備え、該映像・音声送出装置に、番組やＣＭ（コマーシャル）などの放送素材を収録し且つ送出する（例えば、特許文献１、特許文献２参照）。
【０００３】
従来の放送素材送出システムにおいて、送出する映像が所望の映像であるかどうかを確認するため、送出スタンバイを設け、送出スタンバイ時に、送出する映像を確認する必要がある。
【０００４】
【特許文献１】
特開２００２−１０１３１９号公報（要約）
【特許文献２】
特開平９−１８７５３号公報（要約）
【０００５】
【発明が解決しようとする課題】
しかしながら、従来の放送素材送出システムにおいては、映像・音声送出装置に収録する、番組やＣＭ（コマーシャル）などの放送素材から、該放送素材の内容を示す文字データを生成し、生成した該文字データを、送出スタンバイのときに監視画面に表示して、スタンバイした映像が正しいか否かを確認するものが多かった。しかしながら、画面に表示した文字データが、送出しようとしている番組やＣＭ（コマーシャル）などの放送素材を常に表しているとはかぎらず、文字データを生成し且つ生成した文字データを監視画面に送る過程を経ていることで、異なってしまう場合がある。
【０００６】
また、送出スタンバイしたスチル映像が黒味色の映像の場合、収録元素材の先頭映像が黒味色の映像であるかを確認するためには、収録元素材をプレビューしなければならず、確認に非常に手間がかかっていた（例えば、特許文献２参照）。
【０００７】
本発明の目的は、送出スタンバイのときに確実且つ簡単に確認可能な放送素材送出システム、送出スタンバイ方法および送出監視装置を提供することにある。
【０００８】
【課題を解決するための手段】
本発明は、映像・音声送出装置と、該映像・音声送出装置を制御して放送素材を該映像・音声送出装置に収録し且つ収録した前記放送素材を送出スタンバイを経て送出する制御装置と、送出監視装置を有し、前記制御装置は前記放送素材の収録時に前記放送素材の先頭映像を静止画像として取り込み収納し且つ前記送出スタンバイのときに前記映像・音声送出装置を制御して送出スタンバイ映像を形成し、前記送出監視装置は前記静止画像および前記送出スタンバイ映像を取り込んで画面に表示することを特徴とする放送素材送出システムである。
【０００９】
本発明は、放送素材の収録時に前記放送素材の先頭映像を静止画像として取り込み収納し、送出スタンバイのときに、収納した前記静止画像および前記放送素材の送出スタンバイ映像を取り込んで画面に表示することを特徴とする放送素材送出方法である。
【００１０】
本発明は、送出スタンバイのときに、放送素材の先頭映像を示す静止画像および前記放送素材の送出スタンバイ映像を取り込んで画面に表示することを特徴とする送出監視装置である。
【００１１】
本発明は、上記記載において、前記放送素材の送出スタンバイ映像を放送素材の送出スタンバイ画像にして前記静止画像と比較し、画像が異なる場合に前記画面にアラームを表示することを特徴とする放送素材送出システム、放送素材送出方法または送出監視装置である。
【００１２】
【発明の実態の形態】
以下、本発明の実施の形態について図を用いて説明する。
【００１３】
図１は、放送素材送出システムの構成を示した図である。図１において、１０１はビデオサーバなどの映像・音声送出装置である。１０２は収録制御装置であり、映像・音声送出装置１０１とは制御線で接続されている。収録制御装置１０２からの制御により、映像・音声送出装置１０１に入力映像・音声を収録する。また、収録制御装置１０２は、分配器１０６から分配された入力映像を取り込む。１０３は送出制御装置であり、映像・音声送出装置１０１とは制御線で接続されている。送出制御装置１０３は収録素材の送出時に、映像・音声送出装置１０１の送出スタンバイおよび送出動作の制御を行う。１０４はデータサーバであり、収録制御装置１０２で制御する収録素材データ１０４ａ、収録制御装置１０２で取り込んだ静止画像１０４ｂなどを保存し管理している。１０５は送出監視装置であり、分配器１０７で分配された映像・音声送出装置１０１の出力映像を取り込んで画面に表示し、送出スタンバイ時に映像・音声送出装置１０１でスタンバイした映像が正しいかを監視する装置である。１０１、１０２、１０３、１０４、１０５はＬＡＮ（ローカルエリアネットワーク）１０８で接続されている。
【００１４】
次に、図１の放送素材送出システムの動作について説明する。
【００１５】
図２は放送素材を収録する動作フロー図である。
【００１６】
最初に、収録制御装置１０２が、ビデオサーバなどの映像・音声送出装置１０１を制御する（収録コマンドを与える）ことにより、ビデオサーバなどの映像・音声送出装置１０１は、映像・音声からなる入力放送素材の収録を開始し（ステップ２０１）、その放送素材の映像・音声を収録する。
【００１７】
同時に、収録制御装置１０２は、分配器１０６により分配された入力映像・音声からなる入力放送素材の先頭映像を静止画像の先頭静止画像として１カット取り込む（ステップ２０２）。また、この時の収録開始時からのタイムコードを映像・音声送出装置１０１から取得し、静止画像１カット目のタイムコードとして関連付けして記憶しておく（ステップ２０３）。次に、静止画像２カット目以降としても同じステップ２０２および２０３の動作を繰り返し、静止画像取り込み終了時刻Ｔになったかを判別し（ステップ２０４）、静止画像取り込み終了時刻Ｔになったところで、静止画像の取り込みを終了する。
【００１８】
収録制御装置１０２は、収録した複数の静止画像からなる静止画像群に対応して識別符号を割り当て、この識別符号と関連付けしてステップ２０２で取り込んだ複数の静止画像からなる静止画像群を、ＬＡＮ１０８を介してデータサーバ１０４に送り、データサーバ１０４は静止画像１０４ｂとして格納する（ステップ２０５）。同様に識別符号と関連付けしてステップ２０３で取得した複数のタイムコードからなるタイムコード群を、ＬＡＮ１０８を介してデータサーバ１０４に送り、データサーバ１０４は放送素材データ１０４ａとして格納する（ステップ２０６）。
【００１９】
図３は、ビデオサーバなどの映像・音声送出装置１０１に収録した放送素材の動画を送出する際の第１の動作フロー図、図４はその動作結果の送出スタンバイ監視画面である。
【００２０】
送出制御装置１０３は、ビデオサーバなどの映像・音声送出装置１０１を送出制御するために、図示していない外部制御システムからキュー（再生）リストを受けており、該キュー（再生）リストに基づき、送出スタンバイ制御する放送素材の識別符号を、ビデオサーバなどの映像・音声送出装置１０１に通知して送出スタンバイを開始させて送出スタンバイ映像を形成するとともに、送出監視装置１０５に送信することで、送出監視装置１０５は送出スタンバイの開始通知を受信する（ステップ３０１）。
【００２１】
送出監視装置１０５は、送出スタンバイ開始通知を受信すると、図４の送出スタンバイ監視画面４０１に、受信した識別符号４０２を表示する。また、受信した識別符号を基に該当静止画像群をデータサーバ１０４から取得して、図４の送出スタンバイ監視画面４０１に、先頭静止画像４０３を表示する（ステップ３０２）。また、識別符号を基に該当タイムコード群をデータサーバ１０４から取得し、図４の送出スタンバイ監視画面４０１に、タイムコード４０４を表示する（ステップ３０３）。
【００２２】
次に、送出制御装置１０３がビデオサーバなどの映像・音声送出装置１０１から送出スタンバイ完了通知を受けると、該送出スタンバイ完了通知を送出監視装置１０５に送ることで、送出監視装置１０５は送出スタンバイ完了通知を受信する（ステップ３０４）。
【００２３】
送出監視装置１０５は、分配器１０７から分配された映像・音声送出装置１０１からの出力映像の取り込みを開始し、図４の送出スタンバイ監視画面４０１に、送出スタンバイ用先頭映像４０５を表示する（ステップ３０５）。このとき、ビデオサーバなどの映像・音声送出装置１０１からタイムコードを取得し、図４の送出スタンバイ監視画面４０１に、タイムコード４０６を表示する（ステップ３０６）。
【００２４】
したがって、送出監視装置１０５の送出スタンバイ監視画面４０１（図４）で、先頭静止画像４０３と送出スタンバイ用先頭映像４０５を比較することで、登録（収納）した放送素材と実際に映像・音声送出装置１０１で送出スタンバイ完了した放送素材の映像が同じであるか否かを確実に且つ簡単に確認することができる。
【００２５】
図５は、ビデオサーバなどの映像・音声送出装置１０１に収録した放送素材の動画を送出する際の第２の動作フロー図、図６はその動作結果の送出スタンバイ監視画面である。図５と図６において、図３および図５と同一箇所に同一符号を付けた。
【００２６】
図５の動作において、ステップ３０１と３０２は図３と同じであり、図６の送出スタンバイ監視画面４０１に、識別符号４０２と先頭静止画像４０３を表示する。
【００２７】
次に、送出監視装置１０５は、図３と同様の送出スタンバイ完了通知を受信する（ステップ３０４）。
【００２８】
次に、送出監視装置１０５は、分配器１０７から分配された映像・音声送出装置１０１からの出力映像の取り込みを開始し、送出スタンバイ完了している映像を静止画像として１カット取り込んで、図６の送出スタンバイ監視画面４０１に、送出スタンバイ用先頭画像６０１を表示する（ステップ５０１）。そして、静止画像４０３と送出スタンバイ用静止画像６０１を画像認識により自動的に比較する（ステップ５０２）。そして、静止画像４０３と送出スタンバイ用静止画像６０１が異なる場合は、送出スタンバイした映像が間違っていると判断し、図６の送出スタンバイ監視画面４０１に、アラーム６０２を表示する（ステップ５０３）。
【００２９】
本動作によれば、送出スタンバイ時にビデオサーバなどの映像・音声送出装置でスタンバイした映像が正しいか否かの確認を自動的に行い、その結果を表示するので、登録（収納）した放送素材と実際に映像・音声送出装置１０１で送出スタンバイ完了した放送素材の映像が同じであるか否かをより確実に且つ簡単に確認することができる。
【００３０】
【発明の効果】
本発明によれば、送出スタンバイのときに確実且つ簡単に確認可能な放送素材送出システム、送出スタンバイ方法および送出監視装置を得ることができる。
【図面の簡単な説明】
【図１】本発明の実施の形態による放送素材送出システムの構成を示した図である。
【図２】放送素材を収録する動作フロー図である。
【図３】ビデオサーバなどの映像・音声送出装置に収録した放送素材の動画を送出する際の第１の動作フロー図である。
【図４】その動作結果の送出スタンバイ監視画面である。
【図５】ビデオサーバなどの映像・音声送出装置に収録した放送素材の動画を送出する際の第２の動作フロー図である。
【図６】その動作結果の送出スタンバイ監視画面である。
【符号の説明】
１０１：ビデオサーバなどの映像・音声送出装置、１０２：収録制御装置、１０３：送出制御装置、１０４：データサーバ、１０５：送出監視装置、１０６，１０７：分配器、１０８：ＬＡＮ、４０１：送出スタンバイ監視画面、４０２：識別符号、４０３：先頭静止画像、４０４：タイムコード、４０５：送出スタンバイ用先頭映像、４０６：タイムコード、６０１：送出スタンバイ用先頭画像、６０２：アラーム。
【図１】
2004274568.tif 000003
【図２】
2004274568.tif 000004
【図３】
2004274568.tif 000005
【図４】
2004274568.tif 000006
【図５】
2004274568.tif 000007
【図６】
2004274568.tif 000008